(57)【特許請求の範囲】
【請求項１】
巡回チェーンにより巡回移動する搬送手段の保持治具にＰＥＴプリフォームを供給するものであって、
ＰＥＴプリフォームを正立状態で一列に移送して供給する供給シュートと、
前記搬送手段の巡回チェーンにより同期回転する上方ターレットおよび下方ターレットを上下に配して同軸状に設け、上方ターレットに多数のキャリアを円周等間隔に約１８０°反転可能に設けるとともに、下方ターレットに上方ターレットのキャリアと同数の載支ホルダーを円周等間隔に上方ターレットのキャリアと対向して昇降可能に設け、更に、上方ターレットのキャリアと下方ターレットとの間にガイドパイプを設けてなり、前記供給シュートから供給されたＰＥＴプリフォームを上方ターレットのキャリアにより正立状態から倒立状態に約１８０°反転し、この反転したＰＥＴプリフォームをガイドパイプ内を通して下方ターレットの載支ホルダーに移載し、しかる後、下方ターレットの載支ホルダーを降下してそのＰＥＴプリフォームを搬送手段の保持治具に緩やかに挿入する挿入手段と、
前記搬送手段の巡回チェーンにより前記挿入手段の上方ターレットおよび下方ターレットと同期回転する回転円筒部材を前記挿入手段の下方ターレットに隣接して設け、この回転円筒部材にエアシリンダにより常時下方に付勢される多数の押込フォークを円周等間隔に昇降可能に設けてなり、前記挿入手段の下方ターレットの載支ホルダーと回転円筒部材の押込フォークとが接線状態で出会った時点で押込フォークを急降下してエアシリンダにて搬送手段の保持治具に緩やかに挿入されたＰＥＴプリフォームを完全に挿入する押込手段とを備えたことを特徴とするＰＥＴプリフォームの供給装置。
【請求項２】
巡回チェーンにより巡回移動する搬送手段の保持治具からＰＥＴプリフォームを排出するものであって、
前記搬送手段の巡回チェーンにより同期回転する回転円筒部材を設け、この回転円筒部材の下部に多数の引抜フォークを円周等間隔に昇降可能に設けるとともに、当該回転円筒部材の上部に多数のクランプホルダーを円周等間隔に引抜フォークと対向して設け、更に、回転円筒部材の上部の周囲の所定の範囲に巡回移動するベルトを部分的に周回して設けてなり、搬送手段の保持治具に挿入されたＰＥＴプリフォームを引抜フォークにて搬送手段の保持治具から上方に引き抜き、この引き抜いたＰＥＴプリフォームをクランプホルダーとベルトとによるクランプ状態で所定の位置まで移送して落下する引抜手段と、
前記引抜手段から落下するＰＥＴプリフォームを受け止めて正立状態にして所定の位置に排出する排出シュートとを備えたことを特徴とするＰＥＴプリフォームの排出装置。
【請求項３】
前記請求項１に記載するＰＥＴプリフォームの供給装置と、前記請求項２に記載するＰＥＴプリフォームの排出装置とを備えたことを特徴とするＰＥＴプリフォームネック結晶化装置。
【発明の詳細な説明】
【０００１】
【発明の属する技術分野】
本発明は、ＰＥＴプリフォームネック結晶化装置等にＰＥＴプリフォームを供給する供給装置およびＰＥＴプリフォームネック結晶化装置等から処理済のＰＥＴプリフォームを排出する排出装置並びにこれら供給装置および排出装置を用いたＰＥＴプリフォームネック結晶化装置に関する。
【０００２】
【従来の技術】
近頃、ポリエチレンテレフタレート（ＰＥＴ）製のボトル（以下、ＰＥＴボトルと称す）は、機械的強度、ガスバリア性、透明性等の優れた特性を有する容器として広く使用されている。
【０００３】
かかるＰＥＴボトルは、通常、中間体としてのＰＥＴプリフォームを成形した後、これを加熱延伸プロー加工して製造されるが、このＰＥＴプリフォームのネック部を強化させる目的で該ネック部を加熱処理して結晶化することが行われている。
【０００４】
ところで、ＰＥＴプリフォームのネック部を加熱処理して結晶化させるＰＥＴプリフォームネック結晶化装置（以下、ネック結晶化装置と称す）は、ＰＥＴプリフォームを巡回移動する保持治具に保持し、この保持治具の移動中にＰＥＴプリフォームのネック部を加熱処理して結晶化する構成になっており、このネック結晶化装置はＰＥＴプリフォームを巡回移動している保持治具に供給する。
【０００５】
そのため、従来は、ＰＥＴプリフォームを適宜な搬送手段（例えばコンベアー等）によりネック結晶化装置の所まで搬送して、ここで多数のＰＥＴプリフォームをプールしておき、この多数プールされたＰＥＴプリフォームをネック結晶化装置の巡回移動している保持治具にアクチュエーター等により供給していた。
【０００６】
また、ネック結晶化装置から処理済のＰＥＴプリフォームを排出する場合も、処理済ＰＥＴプリフォームを倒立した状態から正立した状態（ネック部を上にした状態）に反転して排出しなければならないため、従来は、処理済ＰＥＴプリフォームをネック結晶化装置の巡回移動している保持治具からアクチュエーター等により取外していた。
【０００７】
【発明が解決しようとする課題】
前述したように、従来は、ＰＥＴプリフォームの保持治具への保持、更に保持治具から処理済ＰＥＴプリフォームの取外しがアクチュエーター等により行われており、ＰＥＴプリフォームネック結晶化の能力向上で重要課題とされている。
【０００８】
本発明の目的は、ＰＥＴプリフォームネック結晶化の全工程の自動化を可能にして処理能力の向上を図るＰＥＴプリフォームの供給装置および排出装置並びにそれらを用いたＰＥＴプリフォームネック結晶化装置を提供することにある。
【０００９】
【課題を解決するための手段】
本発明は、巡回チェーンにより巡回移動する搬送手段の保持治具にＰＥＴプリフォームを供給するものであって、ＰＥＴプリフォームを正立状態で一列に移送して供給する供給シュートと、前記搬送手段の巡回チェーンにより同期回転する上方ターレットおよび下方ターレットを上下に配して同軸状に設け、上方ターレットに多数のキャリアを円周等間隔に約１８０°反転可能に設けるとともに、下方ターレットに上方ターレットのキャリアと同数の載支ホルダーを円周等間隔に上方ターレットのキャリアと対向して昇降可能に設け、更に、上方ターレットのキャリアと下方ターレットとの間にガイドパイプを設けてなり、前記供給シュートから供給されたＰＥＴプリフォームを上方ターレットのキャリアにより正立状態から倒立状態に約１８０°反転し、この反転したＰＥＴプリフォームをガイドパイプ内を通して下方ターレットの載支ホルダーに移載し、しかる後、下方ターレットの載支ホルダーを降下してそのＰＥＴプリフォームを搬送手段の保持治具に緩やかに挿入する挿入手段と、前記搬送手段の巡回チェーンにより前記挿入手段の上方ターレットおよび下方ターレットと同期回転する回転円筒部材を前記挿入手段の下方ターレットに隣接して設け、この回転円筒部材にエアシリンダにより常時下方に付勢される多数の押込フォークを円周等間隔に昇降可能に設けてなり、前記挿入手段の下方ターレットの載支ホルダーと回転円筒部材の押込フォークとが接線状態で出会った時点で押込フォークを急降下してエアシリンダにて搬送手段の保持治具に緩やかに挿入されたＰＥＴプリフォームを完全に挿入する押込手段とを備えたＰＥＴプリフォームの供給装置を提供する。
【００１０】
また、本発明は、巡回チェーンにより巡回移動する搬送手段の保持治具からＰＥＴプリフォームを排出するものであって、前記搬送手段の巡回チェーンにより同期回転する回転円筒部材を設け、この回転円筒部材の下部に多数の引抜フォークを円周等間隔に昇降可能に設けるとともに、当該回転円筒部材の上部に多数のクランプホルダーを円周等間隔に引抜フォークと対向して設け、更に、回転円筒部材の上部の周囲の所定の範囲に巡回移動するベルトを部分的に周回して設けてなり、搬送手段の保持治具に挿入されたＰＥＴプリフォームを引抜フォークにて搬送手段の保持治具から上方に引き抜き、この引き抜いたＰＥＴプリフォームをクランプホルダーとベルトとによるクランプ状態で所定の位置まで移送して落下する引抜手段と、前記引抜手段から落下するＰＥＴプリフォームを受け止めて正立状態にして所定の位置に排出する排出シュートとを備えたＰＥＴプリフォームの排出装置を提供する。
【００１１】
更に、前記ＰＥＴプリフォームの供給装置と、前記ＰＥＴプリフォームの排出装置とを備えたＰＥＴプリフォームネック結晶化装置を提供する。
【００１２】
【発明の実施の形態】
以下、本発明の実施例について、図面を参照して説明する。
【００１３】
図１はＰＥＴプリフォームネック結晶化装置の全体構造を示す平面図である。
【００１４】
図において、（Ａ）はＰＥＴプリフォーム（Ｗ）のネック部（Ｗ１）を結晶化するネック結晶化装置、（Ｂ）はネック結晶化装置（Ａ）にＰＥＴプリフォーム（Ｗ）を供給する供給装置、（Ｃ）はネック結晶化装置（Ａ）から処理済のＰＥＴプリフォーム（Ｗ）を排出する排出装置である。
【００１５】
ネック結晶化装置（Ａ）は、機台（１）上に、ＰＥＴプリフォーム（Ｗ）の搬送手段（２）と、ＰＥＴプリフォーム（Ｗ）に対する加熱手段（３）および冷却手段（４）とを有する。
【００１６】
搬送手段（２）は、機台（１）上を巡回するように上下に平行して配置された巡回チェーン（５ａ）（５ｂ）よりなり、両巡回チェーン（５ａ）（５ｂ）は長手方向一定間隔毎に有する連結部材（図示せず）により連結されて両者同調して巡回移動する。（６）は両巡回チェーン（５ａ）（５ｂ）を巡回移動可能に支持するために機台（１）上に設けたスプロケットである。
【００１７】
そして、上側の巡回チェーン（５ａ）の上に突出した前記連結部材の上部には、保持治具（７）が直立状態で回転自在に支持されている。この保持治具（７）は、その外周に有するスプロケット（８）を、巡回チェーン（５ａ）（５ｂ）の移動方向に平行して配設されたラック部材（図示せず）に噛合することにより、巡回チェーン（５ａ）（５ｂ）による移動に伴って回転が付与される。保持治具（７）の上端部には、ＰＥＴプリフォーム（Ｗ）のネック部（Ｗ１）が嵌合する中空の保持ピン（９）が設けられ、この保持ピン（９）によりＰＥＴプリフォーム（Ｗ）が倒立した状態で保持される。
【００１８】
加熱手段（３）は、搬送手段（２）によるＰＥＴプリフォーム（Ｗ）の移動経路の両側にヒータを対向して設け、このヒータで搬送手段（２）により移動するＰＥＴプリフォーム（Ｗ）のネック部（Ｗ１）を加熱する。ヒータの上部には冷却水を循環流送できる水冷ジャケットが設けられ、この水冷ジャケットで搬送手段（２）により移動するＰＥＴプリフォーム（Ｗ）のサポートリング（Ｗ２）および胴部（Ｗ３）を冷却することにより、ヒータによる熱がＰＥＴプリフォーム（Ｗ）の胴部（Ｗ３）に及ぶのを防止する。
【００１９】
冷却手段（４）は、搬送手段（２）によるＰＥＴプリフォーム（Ｗ）の移動経路における加熱手段（３）に後続する所要の移動範囲の両側に冷風吹出ノズルを設け、この冷風吹出ノズルから送風機によってダクトを通じて流送されてくる冷風を、加熱処理されて送られてくるＰＥＴプリフォーム（Ｗ）に対して吹き付けることにより、加熱処理されて送られてくるＰＥＴプリフォーム（Ｗ）および保持治具（７）の保持ピン（９）を冷却する。
【００２０】
ネック結晶化装置（Ａ）は、以上の構成よりなり、搬送手段（２）の巡回チェーン（５ａ）（５ｂ）を移動することにより、巡回チェーン（５ａ）（５ｂ）に支持された保持治具（７）が移動するとともに、その外周に有するスプロケット（８）がラック部材（図示せず）に噛合することにより回転する。これにより、供給装置（Ｂ）により保持治具（７）の保持ピン（９）に倒立した状態で保持されたＰＥＴプリフォーム（Ｗ）が保持治具（７）の保持ピン（９）とともに回転しながら移動し、この移動中に加熱手段（３）によりＰＥＴプリフォーム（Ｗ）のネック部（Ｗ１）が徐々にかつ万遍に加熱され、この加熱によりＰＥＴプリフォーム（Ｗ）のネック部（Ｗ１）を結晶化する。こうして加熱手段（３）を通り過ぎると、冷却手段（４）により加熱されたＰＥＴプリフォーム（Ｗ）を冷却させた後、この処理済のＰＥＴプリフォーム（Ｗ）を排出装置（Ｃ）により排出するようになっている。
【００２１】
次に、供給装置（Ｂ）は、ネック結晶化装置（Ａ）の加熱手段（３）の上流側に設けられており、ＰＥＴプリフォーム（Ｗ）の供給シュート（１０）と、ＰＥＴプリフォーム（Ｗ）の搬送手段（２）の保持治具（７）への挿入手段（１１）および押込手段（１２）を有する。
【００２２】
供給シュート（１０）は、図示しないポッパーからコンベアベルトにより送られてくるＰＥＴプリフォーム（Ｗ）を正立した状態で一列に整列して移送することにより、挿入手段（１１）へＰＥＴプリフォーム（Ｗ）を１個づつ供給する。この供給シュート（１０）は、挿入手段（１１）に向かって下向きに傾斜した一対の樋板（１３）（１３）を間隔を隔てて対向して配置し、この両樋板（１３）（１３）の上面にＰＥＴプリフォーム（Ｗ）のサポートリング（Ｗ２）を載架することにより、両樋板（１３）（１３）間にＰＥＴプリフォーム（Ｗ）を首吊り状態で移送自在に支持する。
【００２３】
挿入手段（１１）は、供給シュート（１０）から供給されるＰＥＴプリフォーム（Ｗ）を正立した状態から倒立した状態に反転して搬送手段（２）の保持治具（７）へ挿入する。この挿入手段（１１）は、投入シュート（１０）の前方に対向するように搬送手段（２）の巡回チェーン（５ａ）（５ｂ）により回転する上方ターレット（１４）を設け、この上方ターレット（１４）の外周には多数のキャリア（１５）が円周等間隔に配置されている。このキャリア（１５）は、ＰＥＴプリフォーム（Ｗ）のサポートリング（Ｗ２）を載置してＰＥＴプリフォーム（Ｗ）を首吊り状態で支持するようになっており、上方ターレット（１４）に約１８０°反転し得るように反転自在に装着されている。キャリア（１５）には図示しない反転カムフォロワが設けられており、その反転カムフォロワを固定部分に設けられた図示しない反転用カムと係合することにより、キャリア（１５）が上方ターレット（１４）による回転に伴って下方ターレット（１６）の載支ホルダー（１７）への移載位置に至るまでの間（例えば、約９０°区間）にキャリア（１５）を約１８０°反転する。これにより、キャリア（１５）に首吊り状態で支持されたＰＥＴプリフォーム（Ｗ）が倒立した状態に反転される。そして、キャリア（１５）が約１８０°反転した時点で、ＰＥＴプリフォーム（Ｗ）がキャリア（１５）から外れて下方へ落下する。上方ターレット（１４）の下部にはキャリア（１５）と同数のガイドパイプ（１８）が円周等間隔が設けられており、このガイドパイプ（１８）の上端開口をキャリア（１５）と対向して配置することにより、キャリア（１５）から落下するＰＥＴプリフォーム（Ｗ）をガイドパイプ（１８）内を通して下方ターレット（１６）の載支ホルダー（１７）へ案内する。これにより、ＰＥＴプリフォーム（Ｗ）は、下方ターレット（１６）の載支ホルダー（１７）に受け止められ、この載支ホルダー（１７）にサポートリング（Ｗ２）を載置させて倒立した状態で支持される。下方ターレット（１６）は、巡回チェーン（５ａ）（５ｂ）により上方ターレット（１４）と同期回転しており、その外周には上方ターレット（１４）のキャリア（１５）と同数の挿入用昇降部材（１９）が円周等間隔で上方ターレット（１４）のキャリア（１５）と対向するように図示しない昇降ガイドを介して昇降自在に設けられており、各挿入用昇降部材（１９）に上方ターレット（１４）のキャリア（１５）から落下するＰＥＴプリフォーム（Ｗ）を受け止め支持するゴム製の載支ホルダー（１７）を取付けている。挿入用昇降部材（１９）の下部には昇降カムフォロワ（２０）が設けられており、その昇降カムフォロワ（２０）を固定部分に設けられた図示しない昇降用カムに係合することにより、挿入用昇降部材（１９）が下方ターレット（１６）による回転に伴って搬送手段（２）の保持治具（７）への挿入位置に至るまでの間（例えば、約９０°区間）に挿入用昇降部材（１９）を降下する。これにより、下方ターレット（１６）の載支ホルダー（１７）に支持されたＰＥＴプリフォーム（Ｗ）が降下され、この降下により搬送手段（２）の保持治具（７）にＰＥＴプリフォーム（Ｗ）を緩やかに挿入する。（２１）は下方ター��ット（１６）の載支ホルダー（１７）に支持されたＰＥＴプリフォーム（Ｗ）を搬送手段（２）の保持治具（７）に挿入するまでの間、下方ターレット（１６）の載支ホルダー（１７）からＰＥＴプリフォーム（Ｗ）が外れ落ちるのを防止するため、下方ターレット（１６）の周囲に配置されたガイド部材である。
【００２４】
押込手段（１２）は、挿入手段（１１）で搬送手段（２）の保持治具（７）に緩やかに挿入されたＰＥＴプリフォーム（Ｗ）を下方へ押込むことにより、ＰＥＴプリフォーム（Ｗ）を搬送手段（２）の保持治具（７）に完全に挿入する。この押込手段（１２）は、挿入手段（１１）の下方ターレット（１６）に隣接するように搬送手段（２）の巡回チェーン（５ａ）（５ｂ）により回転する回転円筒部材（２２）を設け、この回転円筒部材（２２）の外周には多数の押込用昇降部材（２３）が昇降ガイド（２４）を介して昇降自在に取付けられている。各押込用昇降部材（２３）には、ＰＥＴプリフォーム（Ｗ）の胴部（Ｗ３）に嵌め込んでサポートリング（Ｗ２）を押込むための押込フォーク（２５）が夫々取付けられている。押込用昇降部材（２３）の上部には、回転円筒部材（２２）に下向きに配置して組込まれるエアシリンダ（２６）のピストンロッド（２７）の先端が連結されており、エアシリンダ（２６）で押込用昇降部材（２３）を常時下方へ付勢させている。押込用昇降部材（２３）の下部には昇降カムフォロワ（２８）が設けられており、その昇降カムフォロワ（２８）を固定部分に設けられた昇降用カム（２９）に係合している。昇降用カム（２９）は上り勾配部（２９ａ）と下り段部（２９ｂ）とを有し、押込用昇降部材（２３）が回転円筒部材（２２）による回転に伴って上り勾配部（２９ａ）により上昇されるとともに、下り段部（２９ｂ）により急降下されるようになっている。昇降用カム（２８）の下り段部（２９ｂ）は、挿入手段（１１）の下方ターレット（１６）に伴い回転する載置ホルダー（１７）と、押込手段（１２）の回転円筒部材（２３）に伴い回転する押込用昇降部材（２３）に取付けられた押込フォーク（２５）とが出会う位置に対向するように設けられている。これにより、挿入手段（１１）の下方ターレット（１６）に伴い回転する載置ホルダー（１７）と、押込手段（１２）の回転円筒部材（２３）に伴って回転する押込用昇降部材（２３）に取付けられた押込フォーク（２５）とが出会って押込フォーク（２５）が搬送手段（２）の保持治具（７）に緩やかに挿入されたＰＥＴプリフォーム（Ｗ）の胴部（Ｗ３）に嵌り込んだタイミングで押込用昇降部材（２３）が急降下し、この急降下によりＰＥＴプリフォーム（Ｗ）のサポートリング（Ｗ２）を押込フォーク（２５）で押込むことにより、ＰＥＴプリフォーム（Ｗ）を搬送手段（２）の保持治具（７）に完全に挿入してＰＥＴプリフォーム（Ｗ）の搬送手段（２）への供給を完了する。
【００２５】
供給装置（Ｂ）は、以上の構成からなり、供給シュート（１０）によりＰＥＴプリフォーム（Ｗ）を正立した状態で一列に整列させて移送することにより、挿入手段（１１）へＰＥＴプリフォーム（Ｗ）を１個づつ供給する。供給シュート（１０）から挿入手段（１１）に供給されたＰＥＴプリフォーム（Ｗ）は、挿入手段（１１）の上方ターレット（１４）のキャリア（１５）に支持された後、上方ターレット（１４）の回転に伴ってキャリア（１５）が約１８０°反転されることにより、正立した状態から倒立した状態に反転される。これにより、ＰＥＴプリフォーム（Ｗ）は、キャリア（１５）から落下してガイドパイプ（１８）内を通って下方ターレット（１６）の載支ホルダー（１７）に移載され、しかる後、下方ターレット（１６）の回転に伴って載支ホルダー（１７）が降下されることにより、搬送手段（２）の保持治具（７）に緩やかに挿入される。この後、搬送手段（２）の保持治具（７）に緩やかに挿入されたＰＥＴプリフォーム（Ｗ）は、押込手段（１２）の押込フォーク（２５）に下方へ押込まれることにより、搬送手段（２）の保持治具（７）に完全に挿入されて搬送手段（２）への供給を完了する。
【００２６】
次に、排出装置（Ｃ）は、ネック結晶化装置（Ａ）の冷却手段（４）の下流側に設けられており、処理済のＰＥＴプリフォーム（Ｗ）の引抜手段（３０）および排出シュート（３１）を有する。
【００２７】
引抜手段（３０）は、搬送手段（２）の保持治具（７）に挿入されて保持された処理済のＰＥＴプリフォーム（Ｗ）を上方へ押し上げることにより、処理済のＰＥＴプリフォーム（Ｗ）を搬送手段（２）の保持治具（７）から引き抜く。この引抜手段（３０）は、搬送手段（２）の巡回チェーン（５ａ）（５ｂ）により回転する回転円筒部材（３２）を設け、この回転円筒部材（３２）の中間外周に多数の引抜用昇降部材（３３）を昇降ガイド（３４）を介して昇降自在に取付けている。各引抜用昇降部材（３３）には、処理済のＰＥＴプリフォーム（Ｗ）のネック部（Ｗ１）に嵌め込んでサポートリング（Ｗ２）を押上げるための引抜フォーク（３５）が夫々取付けられている。引抜用昇降部材（３３）には図示しない昇降カムフォロワが設けられており、その昇降カムフォロワを固定部分に設けられた図示しない昇降用カムに係合することにより、引抜用昇降部材（３３）が回転円筒部材（３２）による回転に伴ってクランプホルダー（３６）への移載位置に至るまでの間（例えば、約９０°区間）に引抜用昇降部材（３３）を上昇する。これにより、搬送手段（２）の保持治具（７）に保持された処理済のＰＥＴプリフォーム（Ｗ）のサポートリング（Ｗ２）を引抜フォーク（３５）が上方へ押上げ、処理済のＰＥＴプリフォーム（Ｗ）が搬送手段（２）の保持治具（７）から引き抜かれる。クランプホルダー（３６）は、回転円筒部材（３２）の上部外周に円周等間隔で引抜フォーク（３５）と対向して設けられており、搬送手段（２）の保持治具（７）から引き抜かれた処理済のＰＥＴプリフォーム（Ｗ）が嵌まり込むようになっている。回転円筒部材（３２）の上部外周の周囲には、回転円筒部材（３２）と同期回転するクランプベルト機構（３７）が設けられており、このクランプベルト機構（３７）のベルト（３８）と回転円筒部材（３２）のクランプホルダー（３６）とにより搬送手段（２）の保持治具（７）から引き抜かれた処理済のＰＥＴプリフォーム（Ｗ）を、クランプホルダー（３６）への移載位置から排出シュート（３１）への排出位置に至るまでの間（例えば、約９０°区間）、吊下げ状態でクランプして移送させる。そして、クランプホルダー（３６）が回転円筒部材（３２）による回転に伴って排出シュート（３１）への排出位置に至ったところで処理済のＰＥＴプリフォーム（Ｗ）のベルト（３８）とクランプホルダー（３６）とによるクランプが解け、処理済のＰＥＴプリフォーム（Ｗ）が排出シュート（３１）へ落下される。（３９）は搬送手段（２）の保持治具（７）に保持された処理済のＰＥＴプリフォーム（Ｗ）を引抜フォーク（３５）で上方へ押上げて引き抜く際に、保持治具（７）の保持ピン（９）が処理済のＰＥＴプリフォーム（Ｗ）とともに引き抜かれるのを防止する押え部材で、回転円筒部材（３２）の下部外周に円周等間隔で引抜フォーク（３５）と対向して設けられている。
【００２８】
排出シュート（３１）は、引抜手段（３０）から落下してくる処理済のＰＥＴプリフォーム（Ｗ）を１個ずつ受け止めて正立した状態で移送することにより、ネック結晶化装置（Ａ）の外部へ処理済のＰＥＴプリフォーム（Ｗ）を排出するようになっている。
【００２９】
尚、以上の実施形態では、供給装置（Ｂ）の挿入手段（１１）と押込手段（１２）とが別々の場合について説明したが、供給装置（Ｂ）の挿入手段（１１）に一体に押込機能を組み込むことも可能である。以下、供給装置（Ｂ）の挿入手段（１１）に一体に押込機能を組み込んだ場合を図１３に基づいて説明する。尚、図１３において、図４乃至図８と同一部分または類似部分には同一符号を付して重複する説明を省略する。
【００３０】
図１３に示すように、挿入手段（１１）の押込位置にスタンド（４０）を立設し、このスタンド（４０）にスライド（４１）をスライドガイド（４２）を介してスライド自在に取付ける。スライド（４１）には、スタンド（４０）の上端に下向きに配置して取付けたエアシリンダ（４３）のピストンロッド（４４）の先端が連結されており、エアシリンダ（４２）でスライド（４１）を常時下方へ付勢させている。また、スライド（４１）には、押込用カムフォロワ（４５）が挿入用昇降部材（１９）の回転軌跡上に設けられている。挿入用昇降部材（１９）には、その上端部にカム（４６）が一体形成されており、このカム（４６）は押込位置で押込用カムフォロワ（４５）に係合されるようになっている。載支ホルダー（１７）には、ＰＥＴプリフォーム（Ｗ）のサポートリング（Ｗ２）が嵌合される押込用溝（図示せず）が設けられている。
【００３１】
従って、下方ターレット（１６）の回転に伴い挿入用昇降部材（１９）に取付けられた載支ホルダー（１７）が降下して当該載支ホルダー（１７）に支持されたＰＥＴプリフォーム（Ｗ）が搬送手段（２）の保持治具（７）に緩やかに挿入された後、下方ターレット（１６）の回転に伴い挿入用昇降部材（１９）が押込位置を通過するとき、挿入用昇降部材（１９）の上端に一体に形成してあるカム（４６）が押込用カムフォロワ（４５）に係合することにより、挿入用昇降部材（１９）が更に降下して当該挿入用昇降部材（１９）に取付けられた載支ホルダー（１７）が更に降下し、この降下により載支ホルダー（１７）に設けられた押込用溝にサポートリング（Ｗ２）を嵌合させたＰＥＴプリフォーム（Ｗ）が下方に押込まれることにより、ＰＥＴプリフォーム（Ｗ）を搬送手段（２）の保持治具（７）に完全に挿入する。尚、挿入用昇降部材（１９）が押込位置を通過する途中でＰＥＴプリフォーム（Ｗ）を搬送手段（２）の保持治具（７）に完全に挿入すると、押込用カムフォロワ（４５）がスライド（４１）を介してエアシリンダ（４３）に抗して上昇する。これにより、ＰＥＴプリフォーム（Ｗ）を搬送手段（２）の保持治具（７）に常に一定圧力で挿入する。
【００３２】
【発明の効果】
以上説明したように、本発明によれば、ネック結晶化装置へのＰＥＴプリフォームの供給およびネック結晶化装置から処理済のＰＥＴプリフォームの排出を自動的に行なうことができるから、この種のネック結晶化装置の処理能力の向上を図ることができる。
【図面の簡単な説明】
【図１】本発明のＰＥＴプリフォームネック結晶化装置の平面図である。
【図２】本発明のＰＥＴプリフォームネック結晶化装置の側面図である。
【図３】本発明の供給装置の平面図である。
【図４】本発明の供給装置の側面図である。
【図５】本発明の供給装置の供給シュートの平面図である。
【図６】本発明の供給装置の供給シュートの側面図である。
【図７】本発明の供給装置の挿入手段の下方ターレットの詳細図である。
【図８】本発明の供給装置の押込手段の詳細図である。
【図９】本発明の供給装置における挿入手段と押込手段との拡大平面図である。
【図１０】本発明の供給装置の押込手段に用いる昇降カムのカム線図である。
【図１１】本発明の排出装置の引抜手段の詳細図である。
【図１２】本発明の排出装置の引抜手段の要部拡大図である。
【図１３】本発明の供給装置の変形例の要部拡大図である。
【符号の説明】
Ａ  ネック結晶化装置
Ｂ  供給装置
Ｃ  排出装置
Ｗ  ＰＥＴプリフォーム
Ｗ１  ＰＥＴプリフォームのネック部
Ｗ２  ＰＥＴプリフォームのサポートリング
Ｗ３  ＰＥＴプリフォームの胴部
２  搬送手段
３  加熱手段
４  冷却手段
７  保持治具
１０  供給シュート
１１  挿入手段
１２  押込手段
１４  上方ターレット
１５  キャリア
１６  下方ターレット
１７  載支ホルダー
１８  ガイドパイプ
２２  回転円筒部材
２５  押込フォーク
２６  エアシリンダ
２８  昇降カムフォロワ
２９  昇降用カム
２９ａ  上り勾配部
２９ｂ  下り段部
３０  引抜手段
３１  排出シュート
３２  回転円筒部材
３５  引抜フォーク
３６  クランプホルダー
３７  クランプベルト機構
３８  ベルト
４２  スライド
４３  エアシリンダ
４４  押込用カムフォロワ
４５  カム
【図１】
0004429455.tif 000002
【図２】
0004429455.tif 000003
【図３】
0004429455.tif 000004
【図４】
0004429455.tif 000005
【図５】
0004429455.tif 000006
【図６】
0004429455.tif 000007
【図７】
0004429455.tif 000008
【図８】
0004429455.tif 000009
【図９】
0004429455.tif 000010
【図１０】
0004429455.tif 000011
【図１１】
0004429455.tif 000012
【図１２】
0004429455.tif 000013
【図１３】
0004429455.tif 000014